(57)【要約】  【課題】  音声パターンの数の増加を最小限に留めながらも、電話番号の登録件数を増やすことができる携帯電話機を提供する。  【解決手段】  不揮発メモリにおける名前テーブル７には、主たる見出し語(名前)の音声パターンが複数記述されており、ラベルテーブル８には、従たる見出し語(属性)の音声パターンが複数記述されている。音声発呼用電話帳９には、主たる見出し語と、従たる見出し語との組合せ毎に、電話番号が記述されている。これを用いて発呼がなされる。  【選択図】  図１
2005348364.tif 000002
【特許請求の範囲】
【請求項１】
音声を認識して通信を行う携帯電話機であって、
音声辞書を記憶し、更に第１の電話帳及び第２の電話帳を記憶する記憶手段と、
ユーザが発した音声に対し、記憶手段に記憶された音声辞書に基づく認識処理を行い、通信相手を特定する認識手段と、
特定された通信相手との通信を行う通信手段とを備え、
音声辞書には、
主たる見出し語の音声パターン、及び、従たる見出し語の音声パターンのそれぞれが記述されており、
主たる見出し語と、従たる見出し語との組合せにより第１の電話帳又は第２の電話帳から通信相手の情報を特定することを特徴とする携帯電話機。
【請求項２】
前記認識手段は、
主たる見出し語の何れかを読み上げた音声入力を受け付ける第１受付部と、
従たる見出し語の何れかを読み上げた音声入力を受け付ける第２受付部と、
主たる見出し語のうちその音声パターンが、第１受付部により受け付られけた音声に最も近いものを特定する第１特定部と、
従たる見出し語のうちその音声パターンが、第２受付部により受け付けられた音声に最も近いものを特定する第２特定部とを有し、
前記認識手段が特定する通信相手は、
第１特定部が特定した主たる見出し語と、第２特定部が特定した従たる見出し語との組合せから一意に定まる通信相手である
ことを特徴とする請求項１記載の携帯電話機。
【請求項３】
従たる見出し語には、プッシュ・トゥ・トーク機能を意味する語があり、
第２の電話帳は、プッシュ・トゥ・トーク機能用の電話帳であり、
当該電話帳は、プッシュ・トゥ・トーク機能における通信相手の情報を、主たる見出し語に対応ずけて示している
ことを特徴とする請求項１記載の通信装置。
【請求項４】
前記携帯電話機は、プッシュ・トゥ・トーク機能を実現するシステムにおける子機であり、
プッシュ・トゥ・トーク機能用のアドレス帳は、システムのサーバ装置で管理されている辞書の写しである
ことを特徴とする請求項３記載の通信装置。
【請求項５】
従たる見出し語は、通信相手の情報の属性であり、
通信相手の情報が自宅の電話番号、
職場の電話番号、携帯電話機の電話番号、ファックスの番号、電子メールのアドレス、URLの何れであるかを示す
ことを特徴とする請求項１〜３の何れかに記載の携帯電話機。
【発明の詳細な説明】
【技術分野】
【０００１】
本発明は、携帯電話機に関し、特に音声認識を利用して発呼操作を簡略化する場合の改良に関する。
【背景技術】
【０００２】
音声認識による発呼機能(Voice Dial機能と呼ばれる)は、キー入力の煩わしさからユーザを解放する機能であり、現在、携帯電話機の海外向けモデルを中心に採用されている。
Voice Dial機能は、音声辞書に基づき実行される。音声辞書は、電話番号のそれぞれに、照合用の音声パターンを対応付けることで構成される。
Voice Dial機能付きの携帯電話機は、発呼にあたってユーザに発声を求め、ユーザが発声すれば、音声辞書の音声パターンのうち、ユーザが発した音声パターンに最も近いものを特定する。そのようにして特定した音声パターンに対応付けられた電話番号を用いて、発呼を行うのである。
【０００３】
Voice Dial機能付きの携帯電話機に関しては、以下の特許文献1に記載された先行技術がある。この特許文献1に記載された先行技術は、通信相手の名前を読み上げる音声入力を受け付け、音声辞書から、この入力音声に対応する電話番号を呼び出す。そして「発呼」という音声をユーザが発すれば、その電話番号にて発呼を行うというものである。
【特許文献１】特開平11-112633号公報
【発明の開示】
【発明が解決しようとする課題】
【０００４】
しかしながら従来の音声辞書の構造は、照合される音声パターンと、それぞれの電話番号を対応させる構造、つまり音声パターンと電話番号とを1対1に対応させる構造を有している。そのため、電話番号を1つ追加する度に、見出し語となる音声パターンを音声辞書に登録せねばならない。この見出し語となる音声パターンは、電話番号と比較してデータサイズが大きいので、携帯電話機に内蔵された不揮発メモリなら30件程度の登録数が限界になってしまう。
【０００５】
本発明の目的は、音声パターンの数の増加を最小限に留めながらも、電話番号の登録数を増やすことができる携帯電話機を提供することである。
【課題を解決するための手段】
【０００６】
上記課題を達成するため、本発明に係る通信装置は、音声を認識して通信を行う携帯電話機であって、音声辞書を記憶している記憶手段と、ユーザが発した音声に対し、記憶手段に記憶された音声辞書に基づく認識処理を行い、通信相手を特定する認識手段と、特定された通信相手との通信を行う通信手段とを備え、音声辞書には、主たる見出し語の音声パターン、及び、従たる見出し語の音声パターンのそれぞれが複数記述されており、主たる見出し語と、従たる見出し語との組合せ毎に、通信相手の情報が記述されていることを特徴としている。
【発明の効果】
【０００７】
本発明の携帯電話機は、音声辞書を記憶し、更に第１の電話帳及び第２の電話帳を記憶する記憶手段と、ユーザが発した音声に対し、記憶手段に記憶された音声辞書に基づく認識処理を行い、通信相手を特定する認識手段と、特定された通信相手との通信を行う通信手段とを備え、音声辞書には、主たる見出し語の音声パターン、及び、従たる見出し語の音声パターンのそれぞれが複数記述されており、主たる見出し語と、従たる見出し語との組合せにより第１の電話帳又は第２の電話帳から通信相手の情報を特定している。主たる見出し語をn個、従たる見出し語をm個とした場合、n+m個の音声パターンを記憶手段に記憶させておくことで、n×m個の通信相手の情報を記憶手段に記憶させておくことができる。ここで従たる見出し語の数が多ければ多いほど、電話番号等通信相手の数は増すため、多くの友人や会社の同僚の電話番号等を登録しておくことができる。
【０００８】
ここで前記認識手段は、主たる見出し語の何れかを読み上げた音声入力を受け付ける第１受付部と、従たる見出し語の何れかを読み上げた音声入力を受け付ける第２受付部と、主たる見出し語のうちその音声パターンが、第１受付部により受け付られけた音声に最も近いものを特定する第１特定部と、従たる見出し語のうちその音声パターンが、第２受付部により受け付けられた音声に最も近いものを特定する第２特定部とを有し、
前記認識手段が特定する通信相手は、第１特定部が特定した主たる見出し語と、第２特定部が特定した従たる見出し語との組合せから一意に定まる通信相手であってもよい。
【０００９】
主たる見出し語の1つを発声した音声入力を、従たる見出し語の1つを発声した音声とは別に受け付けるので、主たる見出し語の音声入力と、従たる見出し語の音声入力との混同がなくなり、認識率を高めることができる。
【発明を実施するための最良の形態】
【００１０】
以降、本発明に係る携帯電話機の実施形態について、携帯電話機を一例にして説明する。本実施形態に係る携帯電話機の特徴としては、Push To Talk通話の機能を具備している点である。Push To Talk通話とは、複数人との同時通話を実現する機能である。ここで複数人と通話を行う度に複数人を選択して発呼するのは、ユーザにとって煩雑であり、また複数人分のデータのやりとりにネットワーク上での伝送遅延があるため、即時性が失われる。
【００１１】
これらを避けるには、予め同時通話を行いたい複数人のグループと、グループに属する各個人のデータ(名前、電話番号等)とをサーバ装置に管理させておくことが望ましい。何故なら、同時通話にあたってそのグループさえ特定すれば、通話の相手先を全て特定することができるからである。
グループに関するデータを、サーバ装置で管理させる場合、今度は携帯電話機−サーバ装置間の通信が問題になる。グループに属する個人名のリストや、詳細を携帯電話機に表示させる度に、サーバ装置をアクセスするとなると、サーバ装置のアクセスが殺到するので、待ち時間が生じ即時性が失われるからである。そこで携帯電話機は、サーバ装置に要求を発することにより、グループに関するデータをサーバ装置からダウンロードする。こうしてダウンロードされたデータをPush To Talk用電話帳という。サーバ装置上のデータは、恒常的なものではなく不定期に更新されうる。何故なら、かかる更新はサーバ装置を利用する不特定多数の者が、特定のWebページに対しログイン入力を行い、編集操作を行うことで、不定期になされるからである。サーバ装置上のデータに変動があるので、サーバ装置上にあってPush To Talk用電話帳にないデータを補うため携帯電話機は、適当な頻度でサーバ装置からのダウンロードを行う。頻繁なダウンロードにより携帯電話機は、自身が保持しているPush To Talk用電話帳を絶えず最新のものにする。逆に携帯電話機でPush To Talk用電話帳を変更した場合は、携帯電話機において変更が施されたPush To Talk用電話帳をサーバ装置にアップロードする。
【００１２】
Push To Talk用電話帳と、携帯電話機が本来持っている電話帳との区別について説明する。後者の電話帳は、電子手帳のように個人的なデータを管理する役割があり、様々な携帯電話サービスのプロバイダ(会社法人)により、様々な付加機能が提供される。例えば個人データ一人当たりに対して家庭用、仕事用、携帯用等の複数の電話番号を電話帳に持たせたり、電子メールのアドレスを管理させたりするといった機能が代表的である。
【００１３】
これに対し前者のPush To Talk用電話帳は、Push To Talk通話に必要最低限なデータを管理するものであり、携帯電話のプロバイダが共通して扱われるデータ構造をもっている。つまり各プロバイダ毎に、データ構造が変わることは有り得ない。こうした観点からPush To Talk用電話帳は、電話帳と区別されることになる。以上がPush To Talk通話についての説明である。続いて携帯電話機の内部構成について説明する。
【００１４】
図１は、本実施形態に係る携帯電話機の内部構成を示す図である。図１に示すように携帯電話機はBB信号処理部１、RF信号処理部２、操作部３、表示部４、集音部５、音声辞書記憶部６(名前テーブル７、ラベルテーブル８、音声発呼用電話帳９、Push To Talk発呼用電話帳１０)、VoiceDial記憶部１１、制御部１２からなる。
BB信号処理部１は、BB(ベースバンド)信号に対する送受信処理を行う。携帯電話機の発信時においてBB信号処理部１は、制御部１２の制御に基づき送信処理を行い、BB信号をRF信号処理部２に出力する。携帯電話機の着信時においてBB信号処理部１は、RF信号処理部２から出力されたBB信号に対して受信処理を行ってデジタルデータを得て制御部１２に出力する。
【００１５】
RF信号処理部２は、BB信号−RF(高周波)信号の変換処理を行う。発信時においてRF信号処理部２はBB信号処理部１により出力されたBB信号をRF信号に変換し、増幅した上で送信出力する。着信時においてRF信号処理部２はアンテナから入力されてくるRF信号を増幅し、BB信号に変換してBB信号処理部１に出力する。これらBB信号処理部１、RF信号処理部２により、通話信号の発信又は着信、通話データの発信又は着信がなされる。
【００１６】
操作部３は、数値キー３a、オンフックキー３b、オフフックキー３c、Voice Dial機能呼出しキー３dからのユーザ操作を受け付ける。携帯電話機の筐体において、これら操作部３のキーがどのように配置されているかを図に示す。図２は、携帯電話機の外観を示す図であり、本図に示すように、数値キー３a、オンフックキー３b、オフフックキー３c、Voice Dial機能呼出しキー３dは、片手で押下されるよう配置が工夫されている。
【００１７】
表示部４は、LCDであり、音声辞書に登録されている名前やラベル、電話番号を視覚化して表示する。図２において表示部４には、5つの名前(AAA、BBB、CCC、DDD、EEE)が一覧表示されている。表示部４による視覚化により、音声辞書にどんな名前やラベル、電話番号が登録されているかを知ることができる。
集音部５は、マイク、A/Dコンバータを備え、マイクから入力された音声をA/D変換して、音声データとして制御部１２に出力する。
【００１８】
音声辞書記憶部６は、不揮発メモリであり、音声辞書を記憶している。
名前テーブル７は、音声辞書の一要素であり、名前の音声パターンを複数配してなる。図３（ａ）は、名前テーブル７の一例を示す図である。図３（ａ）に示すように名前テーブル７は、名前のID(名前A,B,C,D,E)と、名前を読み上げた際の音声パターン(音声パターンA,B,C,D,E)との組みから構成される。図３（ａ）の一例において、音声パターンA,B,C,D,Eは、それぞれAAA、BBB、CCC、DDD、EEEといった人名を読み上げた音声パターンであり、これらは名前A,B,C,D,EといったIDと組みになって不揮発メモリ７に登録されている。
【００１９】
ラベルテーブル８は、音声辞書の一要素であり、ラベルの音声パターンを複数配してなる。図３（ｂ）は、ラベルテーブル８の一例を示す図である。図３（ｂ）に示すように複数のラベル(H(自宅の電話番号),W(職場の電話番号),M(携帯電話の番号)・・・・・)と、音声パターン(音声パターン1,2,3,4,5,6,7)との組みから構成される。ラベルとは名前の属性を示す情報であり、図３（ｂ）の一例において、音声パターン1,2,3,4,5,6は、それぞれ自宅の電話番号、職場の電話番号、携帯電話の番号、ページャの番号、Data端末の番号等を意味するラベルを読み上げた音声パターンであり、ラベルのIDと組みになって登録されている。
【００２０】
音声発呼用電話帳９は、音声辞書の一要素であり、ユーザ各人についての電話帳を複数配してなるアドレス帳である。Push To Talk用電話帳、携帯電話機が本来持っている電話帳といった分類からすれば、この音声発呼用電話帳９は、後者の電話帳にあたる。図４（ａ）は、ユーザAAA,BBB,CCCについての電話帳を配することにより構成される音声発呼用電話帳９の一例を示す図である。図５は、図４（ａ）の音声発呼用電話帳９のうち、ユーザAAAの電話帳を抜き出して示す。本図に示すように、電話帳は、ユーザの名前AAAに、複数の通信相手の情報(111-111-1111,111-222-2222,111-333-3333・・・という電話番号)を対応づけてなる。各電話番号には、H[Home],W[Work],M[Mobil],P[Pager],D[Data],F[Fax],[]([No Label])といったラベルが付加されている。これらラベルが付された電話番号は、001〜0077のメモリ番号にて一意に特定される。尚、通信相手の情報には、電話番号の他、ファックス番号、URL、E-mailアドレスといったものがあるが、説明の簡略化を期するため、通信相手の情報は、”電話番号”であるものとして説明を進める。
【００２１】
図６は、名前テーブル７における音声パターン、ラベルテーブル８における音声パターン、音声発呼用電話帳９における電話番号の対応関係を示す図である。名前テーブル７に、名前AAA,BBB,CCCの音声パターンが記述されている場合、これら名前AAA,BBB,CCCの音声パターン毎に、ラベルテーブル８における複数ラベルを定義することができる(図中の矢印cy1,2,3)。ここでラベルの数が4つ(自宅の電話番号、職場の電話番号、携帯電話機、fax番号)であるとする。名前テーブル７に記述された3つの名前のそれぞれに、これら4つのラベルを定義することができるので、矢印py1,2,3,4・・・・12に示すように、計12個(=3×4)の電話番号を音声辞書に登録しておくことができる。仮に音声辞書に登録すべき名前の数が3つであり、ラベルの数が4つであるものとする。この場合、7個(=3+4)の音声パターンを音声辞書に登録しさえすれば、12個(=3×4)の電話番号を音声辞書にできるので、音声パターンの登録数を増やすことなく、多くの電話番号を登録しておくことができる。
【００２２】
Push To Talk用電話帳１０は、音声辞書の一要素であり、Push To Talkシステムでの通話にあたっての通信相手の電話番号を、相手側の名前と対応づけて示すアドレス帳である。Push To Talk用電話帳、携帯電話機が本来持っている電話帳といった分類からすれば、この音声発呼用電話帳９は、前者の電話帳にあたる。このPush To Talk用電話帳１０に対する管理は、音声辞書に対する管理と別になっている。つまり音声辞書は、携帯電話機により管理されているのに対し、Push To Talk用電話帳１０はサーバ装置にて管理され、携帯電話機はその写しを保持しているに過ぎない。図４（ｂ）は、Push To Talk用電話帳１０のうち、ユーザAAAのPush To Talk用電話帳１０の一例を示す図である。本図に示すように、一ユーザについての電話帳は、1つの電話番号しか登録できない。電話番号の登録数を1つにしているのは、Push To Talk用電話帳１０では、同じメモリ番号に複数の電話番号が割り当てられるというメモリ番号の重複が出現するからである。例えば、携帯電話機が圏外にある際、ユーザが、ユーザAAAについてのPush To Talk用電話帳１０にメモリ番号1を割り当てて、1つの電話番号を追加したとする。一方、WEBサーバ側でも、同じユーザAAAについてのPush To Talk用電話帳１６に、メモリ番号1を割り当てて電話番号を追加したとする。その後、この携帯電話機が圏内に入り、WEBサーバからPush To Talk用電話帳１０をダウンロードすると、同じユーザについてのPush To Talk用電話帳１０のメモリ番号1に、2つの電話番号が登録されてしまう。Push To Talk用電話帳１０において名前と、電話番号との対応関係を1対1にすることにより、かかる重複を防止している。
【００２３】
Push To Talk電話帳への登録には、
１．手入力
２．音声発呼用電話帳９からのコピー
３．WEBサーバからのダウンロード
図７は、Push To Talk用電話帳１０への登録がどのように行われるかを示す図である。本図においてユーザAAAの電話番号111-333-3333は、「２．音声発呼用電話帳９からのコピー」にて登録された電話番号である。これは、WEBサーバへのアップロードのためのものである。ユーザBBBの電話番号222-888-888は、「１．手入力」にて登録された電話番号である。ユーザBBBの電話番号として適当な番号が入力されている。
【００２４】
ユーザCCCからユーザEEEの電話番号は、「３．WEBサーバからのダウンロード」にて登録された電話番号であり、Push To Talk用電話帳１０のみに存在している。
図８は、Push To Talk用電話帳１０の検索がどのように行われるかを示す図である。図中の矢印キーは、かかる検索の経緯を示す。例えば、矢印キーSh1は、AAAという名前が音声入力され、Push To Talkというラベルが指定された場合の検索の経緯であり、この検索により111-333-3333という電話番号がPush To Talk用電話帳１０から読み出される。矢印キーSh2は、BBBという名前が音声入力され、Push To Talkというラベルが指定された場合の検索の経緯であり、この検索により222-888-8888とおいう電話番号がPush To Talk用電話帳１０から読み出される。矢印キーsh3は、DDDという名前が音声入力され、Push To Talkというラベルが指定された場合の検索の経緯である。Push To Talk用電話帳１０における電話番号が変更されたとしても、Push To Talk発呼用電話帳１０における名前さえ同一であれば、絶えず変更後の電話番号を用いて発信が行なえる。
【００２５】
VoiceDial記憶部１１は、VoiceDialが行われる度に、音声認識の結果を格納する。図９は、VoiceDial記憶部１１の保持内容の一例を示す図である。本図に示すように音声認識された名前AAAと、音声認識されたラベルに対応するメモリ番号001とを一時的に保持する。
制御部１２は、操作部３に対するユーザ操作に基づき、BB信号処理部１、高周波信号処理部２に対する発呼制御及び着呼制御や音声辞書に対するアクセスを行う。携帯電話機における発呼にあたって制御部１２は、ユーザが発声した音声の音声データを集音部５から受け取り、音声辞書記憶部６に記憶された音声辞書に基づく認識処理を行って、発呼先となる通信相手を特定する。この制御部１２による制御内容は、コンピュータ読取可能なプログラムを、CPUが実行することで実現される。このプログラムは、図１０、図１１、図１３に示すフロ−チャ−トの処理手順を、コンピュータ記述言語で記述することにより作成される。以降、図１０、図１１、図１３の処理手順について説明する。本フローチャートの説明は、図１２、図１４を引用しながら行う。図１２は、Voice Dial機能の実行時における表示部４の表示内容を示す図であり、図１４は、音声辞書の時における表示部４の表示内容を示す図である。
【００２６】
図１０のフローチャートにおけるステップＳ１、ステップＳ２、ステップＳ３はメインルーチンにあたる処理であり、待ち受け状態であるか、音声辞書の指示がなされたか、Voice Dial機能の指示がなされたかの操作を受け付ける。
Voice Dial機能の指示がなされれば、音声辞書における名前を一覧表示し、どれかの名前を読み上げるようガイダンス表示し(ステップＳ４)、マイクに対する音声入力を受け付ける(ステップＳ５)。図１２の画面h1は、ステップＳ４の実行時に表示部４に表示される画面の一例である。この画面h1に示すように、音声辞書における複数氏名がユーザに提示されて音声入力がなされるのを待つ。ユーザが発声を行えば、音声辞書における名前のうち、音声パターンが入力音声に最も近いものを名前iに設定する(ステップＳ６)。近い音声パターンが存在しない場合は(ステップＳ７でyes)、エラー表示を行う(ステップＳ１７)。
【００２７】
最も近い音声パターンがあれば、相手先のラベルを一覧表示し、どれかのラベルを読み上げるようガイダンス表示を行い(ステップＳ８)、音声入力を受け付ける(ステップＳ９)。図１２の画面h2は、ステップＳ８の実行時に表示部４に表示される画面の一例である。この画面h2に示すように、音声辞書における複数のラベルがユーザに提示されて音声入力がなされるのを待つ。
【００２８】
ユーザが発声を行えば、音声辞書におけるラベルのうち、音声パターンが入力音声に最も近いものをラベルjに設定する(ステップＳ１０)。ラベルjが[Home]〜[No Label]の何れかならば、音声辞書に登録された複数電話番号のうち、名前i、ラベルjの組合せに対応するものを電話番号kとし(ステップＳ１２)、電話番号kを用いて発呼を行う(ステップＳ１３)。図１２の画面h3は、ステップＳ１３における発呼中に表示部４に表示される画像を示す。
【００２９】
ラベルjが[Home]〜[No Label]の何れにもあたらないが(ステップＳ１１でNo)、ラベルjが[Push To Talk]であるなら(ステップＳ１４でYes)、ステップＳ１５において名前iに一致する電話番号をPush To Talk用電話帳１０から検索する。もし存在するなら(ステップＳ１５でYes)、Push To Talk用電話帳１０のうち、名前iに一致する電話番号で発呼を行う(ステップＳ１６)。
【００３０】
ステップＳ７でNo、ステップＳ１４でNo、ステップＳ１５で「無し」と判定された場合、エラー表示を行う(ステップＳ１７)。
音声辞書登録をユーザが選択した場合、音声辞書における名前を一覧表示し(ステップＳ２１)、電話番号を追加したい相手側は音声辞書に存在するかをユーザに問い合わせる(ステップＳ２２)。図１４の画面h4は、ステップＳ２１において表示部４に表示される画面の一例である。この画面h4に示すように、音声辞書における複数の名前がユーザに提示されるのである。
【００３１】
もし存在すれば、電話番号を追加したい名前を名前uに設定し(ステップＳ２３)、ラベルを一覧表示する(ステップＳ２４)。ここでの一覧表示は、名前uとの組合せに電話番号が登録されているラベルを除いたものである。図１４の画面h5は、ステップＳ２４において表示部４に表示される画面の一例である。電話番号を追加すべきAAA氏の自宅の電話番号が登録済みである場合(ステップＳ２２でYES)、この画面h5に示すように、自宅の電話番号を除く複数のラベルがユーザに提示される。
【００３２】
その後、すべきラベルを読み上げるようガイダンス表示を行い(ステップＳ２５)、音声入力を受け付ける(ステップＳ２６)。ここで受け付けたラベルをラベルvとして(ステップＳ２７)、名前uと、ラベルvとの組合せに対応させるべき、電話番号を入力するようガイダンス表示を行う(ステップＳ２８)。その後、電話番号のキー入力を受け付けて(ステップＳ２９)、入力された電話番号を、名前uと、ラベルvとの組合せに対応づけて音声辞書に登録する(ステップＳ３０)。図１４の画面h6は、ステップＳ２８において表示部４に表示される画面の一例である。この画面に従い、数値キーで電話番号を押下すれば、AAA氏の職場の電話番号が登録されることになる。
【００３３】
追加したい相手側が存在しなければ(ステップＳ２２でNo)、音声パターンとしてすべき音声を発するようガイダンス表示を行い(ステップＳ３１)、音声入力と(ステップＳ３２)、名前の文字入力と(ステップＳ３３)を受け付ける。図１４の画面h7は、ステップＳ３１で表示される画面の一例である。
音声や名前が入力されれば、入力された音声を、名前uの音声パターンとして音声辞書に登録して(ステップＳ３４)、音声辞書におけるラベルを一覧表示し(ステップＳ３５)、ステップＳ２６に合流する。図１４の画面h8は、ステップＳ３５で表示される画面の一例である。
【００３４】
図１５は、本通信装置によるVoiceDialの過程を示す図である。本図では、『入力した音声』、『VoiceDial記憶部１１』、『音声発呼用の電話帳』、『Push To Talk用の電話帳』のそれぞれを横並びに示している。
先ず、入力音声が『AAA+Home』である場合のVoiceDialの手順について説明する。かかる音声の発呼により、右向きの矢印y21に示すようにVoiceDialの管理情報として音声データAAAと、メモリ番号001とが格納される。これらにより音声発呼用電話帳９の検索がなされ、矢印y22に示すように、ユーザAAAのHomeの電話番号がPush To Talk用電話帳１０から読み出されて発呼が行われる。
【００３５】
続いて入力音声が『BBB+Push To Talk』である場合のVoiceDialの手順について説明する。かかる音声の発呼により、右向きの矢印y23に示すようにVoiceDialの管理情報として音声データBBBと、メモリ番号002とが格納される。これらによりPush To Talk用電話帳１０の検索がなされ、矢印y24に示すように、ユーザBBBの電話番号がPush To Talk用電話帳１０から読み出されて発呼が行われる。
【００３６】
以上説明したように本実施形態によれば、主たる見出し語をn個、従たる見出し語をm個とした場合、n+m個の音声パターンを音声辞書記憶部６に記憶させておくことで、n×m個の通信相手の情報を不揮発メモリ７に記憶させておくことができる。ここで従たる見出し語の数が多ければ多いほど、電話番号等通信相手の数は増すため、多くの友人や会社の同僚の電話番号等を登録しておくことができる。
【００３７】
尚本実施形態では、主たる見出し語(名前)と、従たる見出し語(ラベル)の組合せ毎に電話番号を登録したが、3つ以上の見出し語の組合せ毎に電話番号を登録してもよい。
【産業上の利用可能性】
【００３８】
本発明は、不揮発メモリの大規模化を招くことなく、電話番号の登録件数を増やすことができるため、携帯電話機の製造業に利用される可能性がある。
【図面の簡単な説明】
【００３９】
【図１】携帯電話機の内部構成を示す図である。
【図２】携帯電話機の外観を示す図である。
【図３】（ａ）名前テーブル７の内容を示す図である。  （ｂ）ラベルテーブル８の内容を示す図である。
【図４】（ａ）音声発呼用電話帳９の内容を示す図である。
【００４０】
（ｂ）Push To Talk用電話帳１０のうち、ユーザAAAのPush To Talk用電話帳１０の一例を示す図である。
【図５】図４（ａ）の音声発呼用電話帳９のうち、ユーザAAAの電話帳を抜き出して示す。
【図６】名前テーブル７における音声パターン、ラベルテーブル８における音声パターン、電話番号の対応関係を示す図である。
【図７】Push To Talk用電話帳１０への登録がどのように行われるかを示す図である。
【図８】Push To Talk用電話帳１０の検索がどのように行われるかを示す図である。
【図９】VoiceDial記憶部１１の保持内容の一例を示す図である。
【図１０】Voice Dial機能時における処理手順を示す図である。
【図１１】Voice Dial機能時における処理手順を示す図である。
【図１２】Voice Dial機能の実行時における表示部４の表示内容を示す図である。
【図１３】音声辞書登録時における処理手順を示す図である。
【図１４】音声辞書の時における表示部４の表示内容を示す図である。
【図１５】本通信装置によるVoiceDialの過程を示す図である。
【符号の説明】
【００４１】
１    BB信号処理部
２    RF信号処理部
３    操作部
４    表示部
５    集音部
６    音声辞書記憶部
７    名前テーブル
８    ラベルテーブル
９    音声発呼用電話帳
１０    Push To Talk発呼用電話帳
１１    VoiceDial記憶部
１２    制御部
【図１】
2005348364.tif 000003
【図２】
2005348364.tif 000004
【図３】
2005348364.tif 000005
【図４】
2005348364.tif 000006
【図５】
2005348364.tif 000007
【図６】
2005348364.tif 000008
【図７】
2005348364.tif 000009
【図８】
2005348364.tif 000010
【図９】
2005348364.tif 000011
【図１０】
2005348364.tif 000012
【図１１】
2005348364.tif 000013
【図１２】
2005348364.tif 000014
【図１３】
2005348364.tif 000015
【図１４】
2005348364.tif 000016
【図１５】
2005348364.tif 000017